(57)【要約】【課題】未開封状態であるか否かを確実に判別する。【解決手段】容器本体Ｗの口部Ｗ１に装着されるキャップ本体１１と、キャップ本体の天壁部１２を開閉する蓋体１３と、を備え、キャップ本体は、内容物の注出孔１４が形成された天壁部と、口部に固定される固定筒１５と、固定筒を径方向の外側から囲い、かつ破断可能な第１弱化部１６を介して固定筒に連結された視認リング１７と、を備え、蓋体は、キャップ本体に着脱可能に螺着されたねじ筒１８と、ねじ筒を径方向の外側から囲い、かつ固定筒の外周面と視認リングの内周面との間に差し込まれた差込筒１９と、を備え、視認リングの内周面、および差込筒の外周面のうちのいずれか一方に、他方に形成された係止凹部２１に挿入された係止凸部２２が形成され、キャップ本体に対してねじ筒が緩む周方向の緩み側に、蓋体を移動したときに、係止凸部が、係止凹部の内面のうちの周方向の端面に当接する。【選択図】図１
2020193027.tif 000002
【特許請求の範囲】
【請求項１】
容器本体の口部に装着される有頂筒状のキャップ本体と、
前記キャップ本体の天壁部を開閉する有頂筒状の蓋体と、を備え、
前記キャップ本体は、
内容物の注出孔が形成された天壁部と、
前記口部に固定される固定筒と、
前記固定筒を径方向の外側から囲い、かつ破断可能な第１弱化部を介して前記固定筒に連結された視認リングと、を備え、
前記蓋体は、
前記キャップ本体に着脱可能に螺着されたねじ筒と、
前記ねじ筒を径方向の外側から囲い、かつ前記固定筒の外周面と前記視認リングの内周面との間に差し込まれた差込筒と、を備え、
前記視認リングの内周面、および前記差込筒の外周面のうちのいずれか一方に、他方に形成された係止凹部に挿入された係止凸部が形成され、
前記キャップ本体に対して前記ねじ筒が緩む周方向の緩み側に、前記蓋体を移動したときに、前記係止凸部が、前記係止凹部の内面のうちの周方向の端面に当接する、キャップ。
【請求項２】
前記係止凸部は、前記差込筒の外周面に形成され、前記係止凹部は、前記視認リングに形成された径方向に貫く貫通孔となっている、請求項１に記載のキャップ。
【請求項３】
前記係止凹部の内面のうち、上端に位置して下方を向く上面は、前記係止凸部の上面に係止可能に形成されている、請求項１または２に記載のキャップ。
【請求項４】
前記キャップ本体は、前記天壁部に破断可能な第２弱化部を介して連結され、かつ前記注出孔を閉塞する中栓を備え、
前記蓋体は、前記中栓を保持し、前記中栓の周方向の回転移動、および下方移動を規制した保持部を備える、請求項１から３のいずれか１項に記載のキャップ。
【発明の詳細な説明】
【技術分野】
【０００１】
本発明は、キャップに関するものである。
【背景技術】
【０００２】
従来から、例えば下記特許文献１に示されるような、容器本体の口部に装着される有頂筒状のキャップ本体と、キャップ本体の天壁部を開閉する有頂筒状の蓋体と、を備え、キャップ本体が、内容物の注出孔が形成された天壁部と、口部に固定される固定筒と、を備え、蓋体が、キャップ本体に着脱可能に螺着されたねじ筒を備えたキャップが知られている。
【先行技術文献】
【特許文献】
【０００３】
【特許文献１】特開２０１５−１６３５２５号公報
【発明の概要】
【発明が解決しようとする課題】
【０００４】
しかしながら、前記従来のキャップでは、蓋体をキャップ本体から一度も取り外したことが無い未開封の状態と、蓋体をキャップ本体から取り外した後、再度、蓋体をキャップ本体に装着した状態と、を外観で見分けることができないという問題があった。
【０００５】
本発明は、このような事情を考慮してなされたもので、未開封状態であるか否かを確実に判別することができるキャップを提供することを目的とする。
【課題を解決するための手段】
【０００６】
上記課題を解決して、このような目的を達成するために、本発明のキャップは、容器本体の口部に装着される有頂筒状のキャップ本体と、前記キャップ本体の天壁部を開閉する有頂筒状の蓋体と、を備え、前記キャップ本体は、内容物の注出孔が形成された天壁部と、前記口部に固定される固定筒と、前記固定筒を径方向の外側から囲い、かつ破断可能な第１弱化部を介して前記固定筒に連結された視認リングと、を備え、前記蓋体は、前記キャップ本体に着脱可能に螺着されたねじ筒と、前記ねじ筒を径方向の外側から囲い、かつ前記固定筒の外周面と前記視認リングの内周面との間に差し込まれた差込筒と、を備え、前記視認リングの内周面、および前記差込筒の外周面のうちのいずれか一方に、他方に形成された係止凹部に挿入された係止凸部が形成され、前記キャップ本体に対して前記ねじ筒が緩む周方向の緩み側に、前記蓋体を移動したときに、前記係止凸部が、前記係止凹部の内面のうちの周方向の端面に当接する。
【０００７】
この発明によれば、キャップ本体に対してねじ筒が緩む周方向の緩み側に、蓋体を移動したときに、係止凸部が、係止凹部の内面のうちの周方向の端面に当接するので、蓋体に加えた周方向の力が、係止凸部、および係止凹部の内面を介して視認リングに伝わることで、視認リングと固定筒とを連結している第１弱化部が周方向に引張されて破断することとなり、視認リングが固定筒に対して分離される。これにより、未開封状態と比べて、視認リングが下方に位置するか、除去されることとなり、未開封状態と、蓋体をキャップ本体から取り外した後、再度、蓋体をキャップ本体に装着した状態（以下、リキャップ状態という）と、を外観で容易に見分けることが可能になり、未開封状態であるか否かを確実に判別することができる。
【０００８】
ここで、前記係止凸部は、前記差込筒の外周面に形成され、前記係止凹部は、前記視認リングに形成された径方向に貫く貫通孔となってもよい。
【０００９】
この場合、係止凹部が、視認リングに形成された径方向に貫く貫通孔となっているので、係止凹部を有する視認リングを容易に形成することができる。
係止凹部の内面のうち、上端に位置して下方を向く上面が、係止凸部の上面より上方に位置していて、第１弱化部が破断され、視認リングが固定筒に対して下降したときに、係止凹部の上面が、係止凸部の上面に係止される場合には、未開封状態と比べて、視認リングが下方に位置するだけでなく、係止凹部が係止凸部に対して下降することとなり、リキャップ状態の外観を、未開封状態の外観と比べて確実に異ならせることができる。
【００１０】
また、前記係止凹部の内面のうち、上端に位置して下方を向く上面は、前記係止凸部の上面に係止可能に形成されてもよい。
【００１１】
この場合、係止凹部の上面が、係止凸部の上面に係止可能に形成されているので、第１弱化部が破断され、視認リングが固定筒に対して下降したときに、係止凹部の上面が、係止凸部の上面に係止されることとなり、視認リングを脱落させず、係止凸部に留めておくことができる。
【００１２】
また、前記キャップ本体は、前記天壁部に破断可能な第２弱化部を介して連結され、かつ前記注出孔を閉塞する中栓を備え、前記蓋体は、前記中栓を保持し、前記中栓の周方向の回転移動、および下方移動を規制した保持部を備えてもよい。
【００１３】
この場合、キャップ本体が中栓を備え、蓋体が保持部を備えるので、キャップ本体に対してねじ筒が緩む周方向の緩み側に、蓋体を移動すると、中栓も蓋体と同様に移動させられて、第２弱化部が破断され注出孔が開放される。その後も、中栓は保持部に保持された状態に保たれる。
このように、蓋体をキャップ本体から取り外すだけで、第２弱化部が破断され注出孔が開放されるので、未開封状態とリキャップ状態とを外観で容易に見分けることができる効果が顕著に奏功される。
【発明の効果】
【００１４】
本発明によれば、未開封状態であるか否かを確実に判別することができる。
【図面の簡単な説明】
【００１５】
【図１】本発明に係る一実施形態として示したキャップの縦断面図である。
【図２】図１に示すキャップを径方向の外側から見た側面図である。
【図３】図１に示すキャップにおいて開封状態を示す図である。
【図４】図１に示すキャップにおいてリキャップ状態を示す図である。
【発明を実施するための形態】
【００１６】
以下、図面を参照し、本発明の一実施形態に係るキャップ１について説明する。
本実施形態のキャップ１は、図１から図４に示されるように、容器本体Ｗの口部Ｗ１に装着される有頂筒状のキャップ本体１１と、キャップ本体１１の天壁部１２を開閉する有頂筒状の蓋体１３と、を備えている。
キャップ本体１１、および蓋体１３は、共通軸と同軸に配設されている。以下、この共通軸をキャップ軸Ｏといい、キャップ軸Ｏに沿って、蓋体１３の頂壁部３５側を上側といい、キャップ本体１１の周壁部３６の開放端側を下側という。上下方向から見て、キャップ軸Ｏに交差する方向を径方向といい、キャップ軸Ｏ回りに周回する方向を周方向という。
【００１７】
キャップ本体１１の周壁部３６は、天壁部１２の外周縁から下方に向けて延びている。周壁部３６の下部は、容器本体Ｗの口部Ｗ１内に密に嵌合されている。周壁部３６の上部の外周面に雄ねじ部が形成されている。
天壁部１２の上面に、上方に向けて突出した注出筒２５が設けられている。注出筒２５の内側は、天壁部１２を上下方向に貫いており、注出筒２５の内側が内容物の注出孔１４となっている。注出筒２５は、キャップ軸Ｏと同軸に配設されている。
【００１８】
天壁部１２の上面における外周部に、周方向の全長にわたって連続して延びるとともに、径方向の外側に向けて開口した窪み部１２ａが形成されている。窪み部１２ａの内面のうち、径方向の内端に位置して径方向の外側を向く周面に、径方向の外側に向けて突出した音出し突起２６が形成されている。音出し突起２６は、窪み部１２ａの内面のうち、上方を向く底面と一体に形成されている。音出し突起２６は、天壁部１２の上面における外周縁より径方向の内側に位置している。音出し突起２６は、周方向に間隔をあけて複数設けられている。音出し突起２６は、キャップ軸Ｏを中心に約１８０°間隔をあけて２つ設けられている。なお、音出し突起２６の個数、および間隔は適宜変更してもよい。
【００１９】
キャップ本体１１は、天壁部１２に破断可能な第２弱化部２３を介して連結され、かつ注出孔１４を閉塞する中栓２４を備えている。中栓２４は、注出孔１４の内周面に第２弱化部２３を介して連結されている。
中栓２４は、有頂筒状に形成されている。中栓２４は、キャップ軸Ｏと同軸に配設されている。中栓２４の外周面の上部に、上下方向に延びる縦溝２４ｂが周方向に間隔をあけて複数形成されている。縦溝２４ｂは、中栓２４の上端面に開口している。中栓２４の外周面の下部に、径方向の外側に向けて突出した第１係止凸部２４ａが形成されている。
第２弱化部２３は、中栓２４の外周面、および注出孔１４の内周面の各下端部同士を連結している。
【００２０】
キャップ本体１１は、口部Ｗ１に固定される固定筒１５と、固定筒１５を径方向の外側から囲い、かつ破断可能な第１弱化部１６を介して固定筒１５に連結された視認リング１７と、を備えている。
【００２１】
固定筒１５は、口部Ｗ１の外周面にアンダーカット嵌合されて固定されている。図示の例では、固定筒１５の下端部は、キャップ本体１１の周壁部３６の下端部より下方に位置している。なお、固定筒１５の下端部は、キャップ本体１１の周壁部３６の下端部に対して、同じ上下方向の位置に位置してもよいし、上方に位置してもよい。キャップ本体１１は、周壁部３６における上下方向の中間部から径方向の外側に向けて突出したフランジ部２８を備え、固定筒１５は、フランジ部２８における径方向の外端部から下方に向けて延びている。フランジ部２８の下面は、口部Ｗ１の上端開口縁に当接している。
【００２２】
視認リング１７は、キャップ軸Ｏと同軸に配設されている。視認リング１７の上下方向の大きさは、固定筒１５の上下方向の大きさと同じになっている。視認リング１７の上下方向の位置は、固定筒１５の上下方向の位置と同じになっている。
第１弱化部１６は、視認リング１７の内周面、および固定筒１５の外周面の各下端部同士を連結している。
【００２３】
蓋体１３は、頂壁部３５、ねじ筒１８、差込筒１９、保持部２７、および音出し部２９を備えている。
【００２４】
保持部２７は、中栓２４を保持し、中栓２４の周方向の回転移動、および下方移動を規制している。保持部２７は、頂壁部３５における径方向の中央部に設けられ、頂壁部３５の下面から下方に向けて突出している。保持部２７は筒状に形成され、キャップ軸Ｏと同軸に配設されている。
保持部２７の内周面の上部に、径方向の内側に向けて突出し、上下方向に延びる縦リブ２７ｂが周方向に間隔をあけて複数形成されている。各縦リブ２７ｂは、中栓２４に形成された複数の縦溝２４ｂに各別に嵌合されている。これにより、保持部２７および中栓２４の周方向の相対的な回転移動が規制されている。
保持部２７の内周面の下部に、径方向の内側に向けて突出した第２係止凸部２７ａが形成されている。第２係止凸部２７ａは、中栓２４の第１係止凸部２４ａにアンダーカット嵌合されている。これにより、中栓２４の保持部２７に対する下方移動が規制されている。
保持部２７は、注出孔１４内に着脱可能に密に嵌合されている。保持部２７の外周面の上部が、注出孔１４内に嵌合されている。保持部２７の上部は、保持部２７の下部より肉厚に形成されている。
【００２５】
音出し部２９は、頂壁部３５の下面に形成された剛体突部３５ａから下方に向けて突出した弾性変形可能な柱状に形成されている。なお、頂壁部３５の下面に剛体突起３５ａを形成しなくてもよい。音出し部２９の下端部は、キャップ本体１１の窪み部１２ａの底面に当接、若しくは近接している。
音出し部２９の下端部は、キャップ本体１１に対するねじ筒１８の締め込みが完了する直前に、音出し突起２６に弾性変形させられた状態で周方向に摺接し、キャップ本体１１に対するねじ筒１８の締め込みが完了したときに、音出し突起２６を周方向に乗り越えるようになっている。この乗り越え時に、音出し部２９が復元変形するのに伴って振動することで、音が発生する。
【００２６】
ねじ筒１８は、音出し部２９より径方向の外側に設けられている。ねじ筒１８は、キャップ本体１１の周壁部３６の雄ねじ部に着脱可能に螺着されている。
差込筒１９は、ねじ筒１８を径方向の外側から囲い、かつ固定筒１５の外周面と視認リング１７の内周面との間に差し込まれている。差込筒１９は、蓋体１３のなかで最も径方向の外側に位置する最外郭筒となっている。なお、差込筒１９は、蓋体１３の最外郭筒より径方向の内側に位置してもよい。
【００２７】
そして、本実施形態では、視認リング１７の内周面、および差込筒１９の外周面のうちのいずれか一方に、他方に形成された係止凹部２１に挿入された係止凸部２２が形成されている。キャップ本体１１に対してねじ筒１８が緩む周方向の緩み側に、蓋体１３を移動したときに、係止凸部２２が、係止凹部２１の内面のうちの周方向の端面２１ａに当接する構成となっている。
係止凹部２１および係止凸部２２は、複数ずつ設けられている。なお、係止凹部２１および係止凸部２２は、１つずつ設けられてもよい。
【００２８】
係止凹部２１は、視認リング１７に形成された径方向に貫く貫通孔となっている。係止凹部２１は、視認リング１７のうち、下端部より上方に位置する部分に設けられている。係止凹部２１は、視認リング１７のうち、第１弱化部１６に対して周方向に離れた部分に設けられている。なお、係止凹部２１および第１弱化部１６それぞれの周方向の位置を互いに同等にしてもよい。
【００２９】
係止凹部２１は、図２に示されるように、径方向の外側から見て周方向に長い長方形状を呈する。係止凹部２１の内面は、周方向の外端に位置して上下方向に延びる一対の端面２１ａと、上端に位置して下方を向く上面２１ｂと、下端に位置して上方を向く下面２１ｃと、を備えている。
なお、係止凹部２１を径方向の外側から見た形状は、例えば円形状等であってもよい。係止凹部２１は、視認リング１７の内周面に形成された径方向に非貫通の窪みであってもよい。係止凹部２１の内面は、下面２１ｃを有さなくてもよい。
【００３０】
係止凸部２２は、差込筒１９の外周面のうち、固定筒１５の外周面と視認リング１７の内周面との間に差し込まれている下部に形成されている。係止凸部２２は、差込筒１９の外周面から径方向の外側に向けて突出し、周方向に長い直方体状に形成されている。なお、係止凸部２２は、例えば立方体、若しくは半球体等であってもよい。
係止凸部２２の表面は、上端に位置して上方を向く上面２２ａと、周方向の外端に位置して上下方向に延びる一対の端面２２ｂと、下端に位置して下方を向く下面２２ｃと、径方向の外端に位置して径方向の外側を向く外面２２ｄと、を備えている。
【００３１】
図１に示されるように、係止凸部２２の上面２２ａは、係止凹部２１の上面２１ｂと上下方向で対向しており、係止凹部２１の上面２１ｂが、係止凸部２２の上面２２ａに係止可能となっている。係止凸部２２の下面２２ｃは、径方向の外側に向かうに従い、上方に向けて延びている。係止凸部２２の外面２２ｄは、視認リング１７の外周面より径方向の内側で、かつ内周面より径方向の外側に位置している。
なお、係止凸部２２の表面は、外面２２ｄを有さなくてもよい。係止凸部２２の外面２２ｄは、視認リング１７の外周面に対して、径方向の同じ位置に位置してもよいし、径方向の外側に位置してもよい。
【００３２】
係止凸部２２の上下方向の大きさは、係止凹部２１の上下方向の大きさより小さくなっている。係止凸部２２の周方向の大きさは、係止凹部２１の周方向の大きさより小さくなっている。
【００３３】
係止凸部２２は、係止凹部２１の内側において、係止凹部２１の上面２１ｂより下方に位置している。
図示の例では、係止凸部２２は、係止凹部２１の内側における下端部に位置している。係止凸部２２の上面２２ａは、係止凹部２１における上下方向の中央部より下方に位置している。係止凸部２２の上面２２ａと、係止凹部２１の上面２１ｂと、の間の上下方向の隙間は、係止凸部２２の上下方向の大きさより広くなっている。
なお、係止凸部２２は、係止凹部２１の内側における下端部より上方に位置してもよい。係止凸部２２の上面２２ａと、係止凹部２１の上面２１ｂと、の間の上下方向の隙間を、係止凸部２２の上下方向の大きさ以下としてもよい。係止凸部２２、および係止凹部２１それぞれの上下方向の大きさを互いに同等にしてもよい。
【００３４】
図２に示されるように、係止凸部２２は、係止凹部２１の内側における周方向の中央部に位置している。係止凸部２２の端面２２ｂは、係止凹部２１の端面２１ａから周方向に離れている。係止凸部２２の端面２２ｂと、係止凹部２１の端面２１ａと、の間の周方向の隙間は、係止凸部２２の周方向の大きさより狭くなっている。
なお、係止凸部２２は、係止凹部２１の内側において周方向の中央部から周方向にずれた位置に配置されてもよい。係止凸部２２の端面２２ｂと、係止凹部２１の端面２１ａと、の間の周方向の隙間を、係止凸部２２の周方向の大きさ以上としてもよい。係止凸部２２、および係止凹部２１それぞれの周方向の大きさを互いに同等にしてもよい。
【００３５】
以上説明したように、本実施形態によるキャップ１によれば、キャップ本体１１に対してねじ筒１８が緩む周方向の緩み側に、蓋体１３を移動したときに、係止凸部２２が、係止凹部２１の端面２１ａに当接するので、蓋体１３に加えた周方向の力が、係止凸部２２、および係止凹部２１の内面を介して視認リング１７に伝わることで、視認リング１７と固定筒１５とを連結している第１弱化部１６が周方向に引張されて破断することとなり、視認リング１７が固定筒１５に対して分離される。
これにより、未開封状態と比べて、視認リング１７が下方に位置するか、除去されることとなり、未開封状態と、蓋体１３をキャップ本体１１から取り外した後、再度、蓋体１３をキャップ本体１１に装着した状態（以下、リキャップ状態という）と、を外観で容易に見分けることが可能になり、未開封状態であるか否かを確実に判別することができる。
【００３６】
係止凹部２１が、視認リング１７に形成された径方向に貫く貫通孔となっているので、係止凹部２１を有する視認リング１７を容易に形成することができる。
図２に示されるように、係止凹部２１の上面２１ｂが、係止凸部２２の上面２２ａより上方に位置していて、第１弱化部１６が破断され、図４に示されるように、視認リング１７が固定筒１５に対して下降したときに、係止凹部２１の上面２１ｂが、係止凸部２２の上面２２ａに係止されるので、未開封状態と比べて、視認リング１７が下方に位置するだけでなく、係止凹部２１が係止凸部２２に対して下降することとなり、リキャップ状態の外観を、未開封状態の外観と比べて確実に異ならせることができる。
【００３７】
係止凹部２１の上面２１ｂが、係止凸部２２の上面２２ａに係止可能に形成されているので、第１弱化部１６が破断され、視認リング１７が固定筒１５に対して下降したときに、係止凹部２１の上面２１ｂが、係止凸部２２の上面２２ａに係止されることとなり、視認リング１７を脱落させず、係止凸部２２に留めておくことができる。
【００３８】
キャップ本体１１が中栓２４を備え、蓋体１３が保持部２７を備えるので、キャップ本体１１に対してねじ筒１８が緩む周方向の緩み側に、蓋体１３を移動すると、中栓２４も蓋体１３と同様に移動させられて、第２弱化部２３が破断され注出孔１４が開放される。その後も、中栓２４は、図３に示されるように、保持部２７に保持された状態に保たれる。
このように、蓋体１３をキャップ本体１１から取り外すだけで、第２弱化部２３が破断され注出孔１４が開放されるので、未開封状態とリキャップ状態とを外観で容易に見分けることができる効果が顕著に奏功される。
【００３９】
本発明は上記した実施の形態に限定されるものではなく、その趣旨を逸脱しない範囲で適宜変更可能である。
【００４０】
蓋体１３として、保持部２７、および音出し部２９のうちの少なくとも一方を有しない構成を採用してもよい。例えば、保持部２７に代えて、プルリング等を採用してもよい。
キャップ本体１１の天壁部１２の上面を、全域にわたって平坦に形成してもよい。
第１弱化部１６の破断時に、係止凹部２１の上面２１ｂを、係止凸部２２の上面２２ａに係止させず、視認リング１７を除去してもよい。
係止凹部２１を差込筒１９の外周面に形成し、係止凸部２２を視認リング１７の内周面に形成してもよい。
【００４１】
その他、本発明の趣旨を逸脱しない範囲で、上記した実施の形態における構成要素を周知の構成要素に置き換えることは適宜可能であり、また、上記した変形例を適宜組み合わせてもよい。
【符号の説明】
【００４２】
１  キャップ
１１  キャップ本体
１２  天壁部
１３  蓋体
１４  注出孔
１５  固定筒
１６  第１弱化部
１７  視認リング
１８  ねじ筒
１９  差込筒
２１  係止凹部
２１ａ  係止凹部の端面
２１ｂ  係止凹部の上面
２２  係止凸部
２２ａ  係止凸部の上面
２３  第２弱化部
２４  中栓
２７  保持部
Ｏ  キャップ軸
Ｗ  容器本体
Ｗ１  口部
【図１】
2020193027.tif 000003
【図２】
2020193027.tif 000004
【図３】
2020193027.tif 000005
【図４】
2020193027.tif 000006